(57)【要約】  【課題】世界での写真文化が音楽や絵画などの文化産業と比較すると市場規模がまだ未開発で、写真文化に対する評価が低い。写真文化の発展と振興を図り、市場拡大を図るできである。世界各地の観光などのお土産品も趣向品が主流であり継続的に観光ＰＲができる写真映像を活用した地方独特の商品開発が求められている。土産品の写真は付加価値の低いポストカードが主流であり付加価値が高い観光ＰＲができる商品が求められる。  【解決手段】写真文化の振興と促進、観光ＰＲの商品開発をしたのが写真・絵画と歌カードと栞の3点セットである。ポストカードや出版物ではなく、光沢紙にプリントした付加価値の高いインテリア写真や絵で、写真や絵に各国の大切な言葉を融合することで単独では伝えきれなかった作品の世界観や価値やその地域の素晴らしさをより深く伝えることができ、草花の栞やふるさと栞が安らぎを与えることができる。  【選択図】図1
2009056776.tif 000002
【特許請求の範囲】
【請求項１】
世界各国の自然や文化遺産の写真や絵と世界各地の心を伝える歌や言葉を表記した歌カードで、カードの右上にはそれぞれの各地の言語で地方の歌や言葉・童謡・民謡・詩・俳句・諺・格言・教訓・解説・伝承・神話・教えを表記し、右下に地方の言語をアルファベットで発音を表記、左上には地方の歌を日本語の標準語や英語、北京語、外国語で翻訳をしたカードのインテリア写真・絵画と歌カードセット。
【請求項２】
それぞれの世界各国の地域の歌や言葉・童謡・民謡・詩・俳句・諺・格言・教訓・解説・伝承・神話・教えを地方の言語で表記し、裏側には地方の歌や言葉を日本語の標準語や英語、北京語、外国語の翻訳を表記、下に草花をパックした草花の栞のインテリア写真・絵画と歌カードと草花の栞3点セット。
【請求項３】
それぞれの世界各地の地域の伝統的なデザインや模様や絵をプリントや、伝統的な織物をパックしたふるさと栞とインテリア写真・絵画と歌カードの3点セット。
【発明の詳細な説明】
【技術分野】
【０００１】
世界各地の自然や文化遺産を収めた写真や絵で室内装飾品としてのインテリア写真・絵画。
【０００２】
世界各地の歌や言葉や童謡・民謡・詩・俳句・諺・格言・教訓・解説・伝承・神話・教えを地方の現地語で表記し、裏側にはその地方の歌や言葉を標準語や英訳や北京語、外国語で翻訳を表記した歌カード。
【０００３】
世界各地の歌や言葉・童謡・民謡・詩・俳句・諺・格言・教訓・解説・伝承・神話・教えを表記し、裏側にはその地方の歌や言葉を標準語や英訳や北京語、外国語で翻訳を表記して、下には草花をパックした草花の栞。
【０００４】
世界各地の伝統的な模様やデザインや絵をプリントや織物をトパックしたふるさと栞。
【背景技術】
【０００５】
わが国の現在の写真市場はポストカードや出版物や個展での直接販売、インターネットでの小規模市場での販売である。
【０００６】
わが国では欧米と比較すると室内装飾品としての写真の普及が低く、また絵画と比較しても普及率がかなり低く、写真の室内装飾品としての市場が確立されていない。
【０００７】
観光地のお土産品はどれも同じ品物が多く、独自性のある魅力的なオリジナル商品が少なく、主流商品は趣向品で食べたり、飲んだりすると消化され消えてしまい、観光の想い出の品として永続性に欠け、永続的に観光ＰＲできる商品が少ない。
【０００８】
観光土産品の現在市場で出回っている写真は主にポストカードが主流で、ハガキに使用すると手元に無くなり、また、大半の人は机の中に納めていることが多く、多くの人々が目に触れる機会が少なく、観光誘致のＰＲ効果も低く、付加価値も低い商品が多い。
【０００９】
童謡や民謡、俳句や歌を文字のみで表記した出版物や色紙などがあるが商品の魅力に欠けている。
【００１０】
アフリカのノーベル平和賞受賞者のマータイ氏は日本の昔ながらの言葉のもったいないという言葉に深く感銘を受け自然保護意識の普及啓発に日本の大切な言葉を役立てているがその言葉自体を詩人の相田みつを氏のような魅力的な商品として高めた商品開発がされていない。
【００１１】
世界各地の素晴らし言葉には世界を変える力が存在するのだが、そこに暮らす人々自体ががその宝に気づいていない。
【００１２】
写真や言葉も単独では作者の意図や世界観を伝えるには限界があり、作者の意図と受けての捉え方感じ方に隔たりや距離が生じていることが多々あり、音楽TVやカラオケなどでは映像と言語の融合が図られているが、うまく調和していない作品が多く違和感を覚える作品が多い。
【００１３】
ＮＨＫの名曲アルバムは、映像と言葉がうまく融合し、調和しており、完成度も高く、見るものに作品の素晴らしさをうまく伝えているのだが、テレビ映像なので録画をして、何度の再生しない限り消えてしまい、永続性に欠け常時人々の目に触れることができない。
【００１４】
現在の室内のインテリアとして絵画や写真は映像と言葉を融合した作品を見かけることが少なく、あるとしても、企業のＰＲ用のポスターや生活カレンダー程度で、インテリアとして観賞用として耐えることができない、人々の日常生活を心豊かにする付加価値の高い、芸術作品としてのインテリア写真が少ない。
【００１５】
現在の栞は愛読書家からは重宝されているが、企業用のＰＲや出版物のＰＲなどが主でどれも代わり映えしない魅力に欠ける栞が多い。
【００１６】
現在はストレス社会であり、人々は心の癒しを求めているが、ヒーリング音楽やアロマセラピーなどは普及しているが心を癒す付加価値の高い美しい写真を使用した商品を見かけることが少ない。
【００１７】
21世紀は情報化の時代でデザイン優先の時代であるＩＴ化によってグローバリゼーション化の波に対応したデザイン力を高めた付加価値のある文化産業をわが国でも強化すべき時代となっている。
【発明の開示】
【課題を解決するための手段】
【００１８】
世界各地の自然や文化遺産の写真や絵と世界各地の心を伝える地方の歌や言葉を表記した歌カードで、カードには右上に地方の言語で地方の歌や言葉を表記、右下にアルファベットで発音を表記、左上に地方の歌を標準語や英語、北京語、外国語で翻訳をし、左下に撮影場所、タイトル、撮影者、コメントを表紙した歌カードでインテリア写真・絵画と歌カードのセット。
【００１９】
それぞれの各国の地域の歌や言葉を地方の言語で表記し、裏側に地方の歌を標準語や英語、北京語、外国語で翻訳し、その下に草花をラミネートにパックした栞でインテリア写真・絵画と歌カードと栞の3点セット。
【００２０】
それぞれ各国の地域の伝統的なデザインや模様や絵をプリントや、伝統的な織物をラミネートパックしたふるさと栞で、沖縄であれば、琉球絣や紅型などの模様やデザインを印刷したふるさと栞でインテリア写真・絵画と歌カードとふるさと栞の3点セット。
【００２１】
写真、絵、文字のみ、では表現し伝えることのできなかった世界観や価値観を写真と言葉を融合することによって、単独では伝えきれなかった詳細な部分や世界観を伝えることができ、相乗効果を生み相互の価値を高めることができる。
【００２２】
一枚の写真が世界を変える力があるとされる写真の力に人生を支える力のある言葉の力を添えることで大きな力が発揮され、写真文化の発展と世界各地の文化の発信のに役立てることができ、例としては、日本の文化遺産の法隆寺の写真に鐘が鳴るなる法隆寺の歌や、銀閣寺と池の写真に芭蕉の古池や蛙飛び込む水の音の俳句を載せることで日本の文化をより深く伝えることができる。
【００２３】
室内のインテリアとして観賞に耐えうる芸術品として開発されたインテリア写真と心に残る世界各地の言葉を融合することで、相互の価値も上がり、人々に分かりやすく価値観や世界観を伝えることができる。
【００２４】
今までのポストカードや出版物という付加価値の低い商品から、芸術性の高い、付加価値の高い商品となり、写真文化の発展と世界各国の文化の発展に貢献できるものである。
【００２５】
現在の栞は企業用のＰＲ用が主で、どれも代わり映えしない商品が多く、人々の日常生活を心豊かにする栞が少ないが、草花の栞は美しく可憐な草花たちが私たちの心を優しく癒してくれ、世界各国の美しい歌や言葉が心に優しく語りかけるので、文化的な充足感をも味わうことができる。
【００２６】
写真や絵と言葉と草花の栞を組み合わせて一つにパッケージ化することによりそれぞれ単独では伝えることのできなかった価値観や世界観を分かりやすくそして深く伝えることができる。
【００２７】
それぞれの各国の地域の自然や文化遺産を写真や絵だけで伝えるよりも、その地方の民謡や詩や俳句を添えることで、その地方の素晴らしさや文化の奥深さを伝えることができ、世界各地の文化を発信することで、国際理解の促進、相互理解に役立てることができる。
【００２８】
1枚の美しい写真や絵と世界の心に残る言葉の力で世界中の人々が互いの国に対して関心を持ち訪れたいとの気持ちを高めることにより、観光の振興と国際交流にも役立てることができる。
【００２９】
世界の自然や文化遺産の写真や絵と世界各地の言葉や歌・詩・俳句・格言・教訓・神話・伝説・昔話・解説・教えを一体化することで、より価値観を理解しやすくなり、相乗効果で市場の拡大や流通の拡大が期待できる。
【００３０】
歌カードには大切な人類の心に残る言葉なので決して、消えることがない素晴らしい観光のお土産になり、もったいない・ありがとう・おかげさまのような世界各地にも素晴らしい歌や言葉がたくさん存在しており、世界各地にも多く存在しており、その言葉により、人々を幸せにしたり、励ましたりすることができ世界各地に眠る素晴らしい言葉を美しい写真と共に添えて伝えていくことで生きる指針や支えを届けることができる。
【００３１】
商品として売られている単なるポストカードではない、プロの写真家が撮影した芸術写真作品そのものを販売することで今までにないお土産となり、魅力的な商品となり、またインテリア作品なので、ポストカードや出版物とは比較にならないほど、付加価値も上がり芸術性や鑑賞に値する商品となる。
【００３２】
世界各地の歌や地方の言葉を添えることで、よりその地域の素晴らしさを発揮して、地域オリジナル商品となり魅力を伝えることができ、室内装飾品としてインテリアとして使用できるので、観光の良い想い出の品となり日常生活に永続的に安らぎや潤いを与えることができる。
【００３３】
自宅やオフィスなどで飾ることにより、多くの人々が観賞する機会が大幅に増えることで観光ＰＲのアイテムとしての効果も上がり、観光誘致の一役を担うことで、地域経済に他のお土産商品と比較しても大きな効果をもたらすことができる。
【００３４】
ＣＭのスポットと違い、半永久的に展示されているので人々がじっくりと眺めることができ、その地へ行ってみたいという気持ちを高揚させることができ、また、芸術性の高い付加価値の高い観光ＰＲポスターとしての役割を果たせる。
【００３５】
わが国を含め先進国では物質中心主義や拝金主義、個人主義が蔓延し、精神的な安らぎが著しく消え、ストレス社会で精神が蝕まれており、インテリア写真と歌カードセットを通して人々の疲れた心に安らぎと癒しをもたらすことが犯罪や環境破壊を減少させる手段となりえる。
【００３６】
人々の心と自然を再生させることが緊急的な課題であるが、わが国でもヒーリング音楽やアロマセラピーなどは普及しているが、美しい写真を活用したヒーリングフォトの分野が確立されていないので、自然の草花や美しい自然の写真や絵は疲れた心を癒す力があるので、様々な現場でヒーリングフォトを普及していく必要があり、インテリア写真と歌カードセットがヒーリングフォトの役割を果たすことができる。
【００３７】
美しい写真や絵を室内に飾ることで癒しの空間をつくり出すことができ、心に安らぎを与えることができるので優しい心を育み、犯罪防止や自然やすべての生命を大切に思う心と愛せる心を育むことができる。
【００３８】
美しい世界の自然や文化遺産の写真や絵と美しい世界各地のこころの歌や言葉の一体化による、癒し効果の向上と自然や生命の大切さや自然と調和することの大切さを伝える日本の心をうまく人々に伝えることができ、英訳や北京語訳も掲載して世界各地の心を世界に伝えることで文化交流にも役立てることができ、またその地方に住む人々にはその地方の自然と文化の素晴らしさを再確認させることができ郷土愛を育むことができる。
【００３９】
世界各地に咲く草花を栞にパックすることで、より人々に心の潤いや安らぎを伝えることができ、春が来たなどの童謡の歌詞や美しい詩と愛らしい草花の栞を使用することにより、ふるさとの自然の大切さや郷土愛を育み、草花を愛でる心を育て心豊かな生活に寄与することができる。
【００４０】
世界各国の地方の歌やそれぞれの地方に咲く草花を栞にすることで地方文化の発展や地方の観光産業の発展にも寄与でき、地域文化に対して誇りと愛着を感じることができ、美しい自然の草花を見ることで、地球上のすべての生命を尊重する豊かな人間性を育むことができる。
【００４１】
世界各地の伝統的なデザインや模様や絵を世界各国に発信することでＩＴ化の世界の流れに対応できるデザイン優先の産業に寄与することができる。
【発明を実施するための最良の形態】
【００４２】
以下、本発明の実施の形態を説明する。
【実施例】
【００４３】
光沢紙にプリントした世界の自然や文化遺産の写真や絵と紙にプリントした世界各地の歌・民謡・童謡・俳句・詩・諺・格言・教訓・解説・伝承・神話・教えの歌カードのインテリア写真歌カードセット。
【００４４】
それぞれの世界各国の地域の歌を地方の言語で表記し、裏には日本語の標準語や外国語で翻訳を表記し、草花をパックした草花の栞とインテリア写真と歌カードと草花の栞の３点セット。
【図面の簡単な説明】
【００４５】
【図１】インテリア写真・絵画と歌カードセットの平面図（表）全体図光沢紙プリントした世界各地の自然や文化遺産の写真や絵とその裏側には、地方の歌・童謡・俳句・詩・諺・格言・教訓・解説・伝承・神話・教えが各国の地方の言語で表記された歌カードと右側に地方の歌や言葉が表記され、その下には草花をパックした栞をビニールパッケージに入れ、ワンセットにしたインテリア写真と歌カードセットの全体の表平面図。
【図２】インテリア写真・絵画と歌カードセットの平面図（裏）全体図写真の裏側には同じサイズの歌カードで右上に地方の歌・童謡・俳句・詩・諺・格言・教訓・解説・伝承・神話・教えが地方の言語で表記され、右下にアルファベットで発音を表記し、左上に地方の歌を標準語や英語、北京語、外国語で翻訳を表記、左下に撮影場所、タイトル、コメント、撮影者名を表記、その下に草花をパックした草花の裏側の見ることのできる草花の栞
【図３】写真・絵画の平面図世界各国の美しい自然や文化遺産を光沢紙にプリントした写真や絵。
【図４】歌カードの平面図  人類の心の歌、地方の歌・童謡・俳句・詩・諺・格言・教訓・言葉・解説・伝承・神話・教えを右上に表記し、右下にアルファベットで発音を表記し、左側に日本語の標準語や英訳、北京語、外国語で記載し、発音や読み方をアルファベットで表記した日本の文化の素晴らしさを伝える歌カードで左下には写真撮影の場所とタイトルが記載されている。
【図５】草花しおりの平面図（表）自然の草花をパックし、世界各国の美しい言葉や歌童謡・俳句・詩・諺・格言・教訓・言葉・解説・伝承・神話・教えを紙に表記した栞で、世界の自然と文化の素晴らしさを伝える草花の栞。
【図６】草花のしおりの平面図（裏）自然の草花の可愛い裏姿を見られる草花をパックした栞で、世界の美しい言葉や歌・童謡・俳句・詩・諺・格言・教訓・解説・伝承・神話・教えを地方語で表記されたのを標準語や外国語で翻訳が紙に記載された草花の栞。
【図７】ふるさとしおりの平面図（表）世界各地の伝統的なデザインや模様や絵を印刷や、世界の伝統的な織物をパックしたふるさと栞。
【図８】ふるさとしおりの平面図（裏）世界各地の伝統的なデザインや模様や絵を印刷や、世界の伝統的な織物をパックしたふるさと栞。
【図１】
2009056776.tif 000003
【図２】
2009056776.tif 000004
【図３】
2009056776.tif 000005
【図４】
2009056776.tif 000006
【図５】
2009056776.tif 000007
【図６】
2009056776.tif 000008
【図７】
2009056776.tif 000009
【図８】
2009056776.tif 000010